(57)【要約】【課題】美感が良好であると共に、紫外線光源の故障が防止される衛生設備等の設備を提供する。【解決手段】小便器１の表面に光触媒層が設けられている。この小便器１の上方の壁面Ｗにセンサボックス２が設置されている。このセンサボックス２の前面に紫外線及び赤外線を透過させるが可視光は遮光するガラス製窓プレート３が設けられている。この窓プレート３の背後側のセンサボックス２内に回路基板４が設置され、この回路基板４に紫外線ＬＥＤ５と人体検知用赤外線センサが設置されている。赤外線センサによって人が検知されなくなると、紫外線ＬＥＤ５が点灯し、小便器１に紫外線が照射される。【選択図】図１
2006274573.tif 000002
【特許請求の範囲】
【請求項１】
設備本体と、該設備本体の使用者を検知する光学式のセンサと、該センサの検知信号に基づいて設備本体の制御を行う制御手段とを有し、
該センサは透光性の窓プレートの背後側に配置されている設備において、
該設備本体あるいはその近傍の室内面に紫外線を照射する紫外線光源を該窓プレートの背後側に設けたことを特徴とする光学式のセンサを有する設備。
【請求項２】
請求項１において、前記センサが人体を検知しているときには前記紫外線光源を消灯させる紫外線光源制御手段を備えたことを特徴とする光学式のセンサを有する設備。
【請求項３】
請求項１において、前記光学式のセンサを有する設備は水洗便器であり、該水洗便器のトラップ水の補充を前記センサの人体非検知時に実行する給水制御手段が設けられており、該給水制御手段によるトラップ水の補充動作に連動して、前記紫外線光源を点灯制御するように構成したことを特徴とする光学式のセンサを有する設備。
【発明の詳細な説明】
【技術分野】
【０００１】
本発明は、トイレ設備、手洗い設備、手洗い乾燥設備などの設備に係り、特に紫外線による殺菌を行うようにした設備に関する。
【背景技術】
【０００２】
外面に光触媒を付着させた洋風便器に対し、トイレルームの壁面に設けた紫外線光源から紫外線を照射するよう構成したトイレルームが実用新案登録２５５８９２３号に記載されている。
【０００３】
特開２００１−６５０３５号には、トイレルームの壁面のリモコンに紫外線殺菌用のＬＥＤを設けることが記載されている。
【特許文献１】実用新案登録２５５８９２３号
【特許文献２】特開２００１−６５０３５号
【発明の開示】
【発明が解決しようとする課題】
【０００４】
上記特許文献１，２のトイレルームにあっては、光源が室内に露呈するので、美感を損なったり、物が光源に当って故障を起こしたりする恐れがある。
【０００５】
本発明は、美感が良好であると共に、紫外線光源の故障が防止される衛生設備等の設備を提供することを目的とする。
【課題を解決するための手段】
【０００６】
請求項１の光学式のセンサを有する設備は、設備本体と、該設備本体の使用者を検知する光学式のセンサと、該センサの検知信号に基づいて設備本体の制御を行う制御手段とを有し、該センサは透光性の窓プレートの背後側に配置されている設備において、該設備本体あるいはその近傍の室内面に紫外線を照射する紫外線光源を該窓プレートの背後側に設けたことを特徴とするものである。
【０００７】
請求項２の光学式のセンサを有する設備は、請求項１において、前記センサが人体を検知しているときには前記紫外線光源を消灯させる紫外線光源制御手段を備えたことを特徴とするものである。
【０００８】
請求項３の光学式のセンサを有する設備は、請求項１において、前記光学式のセンサを有する設備は水洗便器であり、該水洗便器のトラップ水の補充を前記センサの人体非検知時に実行する給水制御手段が設けられており、該給水制御手段によるトラップ水の補充動作に連動して、前記紫外線光源を点灯制御するように構成したことを特徴とするものである。
【発明の効果】
【０００９】
請求項１の設備にあっては、紫外線光源が窓プレートの背後側に配置されているので、室内側に紫外線光源が露呈せず、美感が良好であると共に、物が当って紫外線光源が故障することも防止される。
【００１０】
請求項２の設備では、人体が検知されるときには紫外線光源が点灯しないので、人体に紫外線が照射されることが防止される。
【００１１】
請求項３の設備では、人体が居ないときに実行されるトラップ水補充動作に合わせて紫外線光源を点灯するので、人体に紫外線が照射されることが防止される。
【発明を実施するための最良の形態】
【００１２】
以下、図面を参照して実施の形態について説明する。図１（ａ）は実施の形態に係る衛生設備としての小便器設備の斜視図、図１（ｂ）はセンサボックスの縦断面図である。
【００１３】
トイレルームの壁面Ｗに沿って小便器１が設置されている。この実施の形態では、小便器１の表面に光触媒層が設けられている。この小便器１の上方の壁面Ｗにセンサボックス２が設置されている。このセンサボックス２の前面に紫外線及び赤外線を透過させるが可視光は遮光するガラス製窓プレート３が設けられている。この窓プレート３の背後側のセンサボックス２内に回路基板４が設置され、この回路基板４に紫外線ＬＥＤ５と人体検知用赤外線センサ（図示略）が設置されている。
【００１４】
人がこの小便器１に近づくと、赤外線センサによって検知される。小便器１の前方に人が所定時間立つと、まず小便器１が予備洗浄動作し、所定の少量の量の水が小便器１に流れる。その後、人が小便器１の前方から立ち去ると、小便器１に十分な量の水が流れて本洗浄が行われる。ただし、予備洗浄は省略されてもよい。
【００１５】
この実施の形態では、この赤外線センサによって人が検知されないときに、紫外線ＬＥＤ５が点灯し、小便器１に紫外線が照射され、殺菌が行われる。なお、トイレルームの壁面やドアによって反射された紫外線が小便器１に当るので、小便器１の上面だけでなく、その他の部分にも紫外線が当る。この小便器１の表面に酸化チタンなどの光触媒層が設けられているので、紫外線で光触媒が励起され、活性酸素が発生し、有機物の分解も進行する。これにより、殺菌だけでなく汚れ除去も行われる。
【００１６】
人が小便器１に近づいて赤外線センサで検知されると、ＬＥＤ５は消灯する。これにより、紫外線が人体に当ることが防止される。
【００１７】
なお、壁面Ｗ以外の箇所にセンサボックスが設けられてもよい。小便器１以外のトイレルームの床や壁にも光触媒層を設けてもよい。
【００１８】
図２は実施の形態に係る衛生設備としての洋風便器１０を示す斜視図である。
【００１９】
この洋風便器１０は、陶器製の洋風便器本体１１と、該洋風便器本体１１の後部上面に設置された合成樹脂製ロータンクカバー１２と、該ロータンクカバー１２に上下方向回動可能に取り付けられた便座１３及び便蓋１４と、ロータンクカバー１２の上部の側辺部に設けられたセンサ設置用窓プレート１５とを有する。ロータンクカバー１２内には、ロータンクや、人体臀部洗浄用の温水洗浄装置、脱臭装置などが設置されている。
【００２０】
洋風便器本体１１、ロータンクカバー１２、便座１３及び便蓋１４の外面には光触媒層が設けられている。
【００２１】
窓プレート１５の背後側に人体検知用赤外線センサと紫外線ＬＥＤ（いずれも図示略）とが前記図１（ｂ）と同様に設置されている。窓プレート１５は、前記窓プレート３と同様に、赤外線及び紫外線を透過させ、可視光を遮光するガラスよりなる。
【００２２】
洋風便器１０に人が近づくと、赤外線センサによって検知され、便蓋１４が自動的に起立し、人が立ち去ってから所定時間が経過すると、便蓋１４が自動的に倒伏する。
【００２３】
この実施の形態でも、赤外線センサによって人が検知されている間は紫外線ＬＥＤが消灯し、人が検知されなくなると紫外線ＬＥＤが点灯する。これにより、紫外線殺菌が行われると共に、光触媒が励起して付着した有機物の分解が行われる。
【００２４】
紫外線ＬＥＤからの紫外線は、窓プレート１５を通って便蓋１４の上面を直接的に照射するが、その他の部分も床や壁から反射した紫外線が照射される。なお、便蓋１４が開いている間は便座１３にも紫外線が照射される。
【００２５】
なお、洋風便器１の周囲のトイレルームの床や壁面にも光触媒層を設けてもよい。
【００２６】
図２ではロータンクカバー１２に窓プレート１５が設けられているが、便座ボックスやその張出部などに窓プレートが設けられているタイプの洋風便器（図示略）であれば、その窓プレートの背後側に紫外線ＬＥＤを設ける。また、リモコンが設置され、このリモコンに窓プレートが設けられているときには、この窓プレートの背後側に紫外線ＬＥＤを設けてもよい。
【００２７】
図３（ａ）は実施の形態に係る衛生設備としての洗面設備の斜視図、図３（ｂ）は手洗吐水管の縦断面図である。
【００２８】
洗面カウンター２０に洗面ボウル２１が設置されており、この洗面カウンター２０の上面と洗面ボウル２１の表面に光触媒層が設けられている。
【００２９】
この洗面ボウル２１に向って吐水するように該手洗吐水管（以下、単に吐水管と略）２２が設置されている。この吐水管２２の先端部の下面に吐水口２３が設けられ、吐水管２２内にはホース、パイプ等よりなる通水部材２４が引き回されている。
【００３０】
この吐水口２３の近傍の吐水管２２の下面に、赤外線及び紫外線を透過させるが可視光を遮光するガラスよりなる窓プレート２５が設置されている。この窓プレート２５の背後側の吐水管２２内に回路基板２６が設置され、この回路基板２６に赤外線センサ（図示略）と紫外線ＬＥＤ２７が設置されている。
【００３１】
赤外線センサが吐水口２３付近に差し出された手を検知すると、吐水口２３から吐水が開始し、手が検知されなくなると、止水される。図示はしないが、この洗面カウンター２０近傍の人体を検知するセンサが設けられており、人体が検知されないときにはＬＥＤ２７が点灯する。これにより、洗面ボウル２１や洗面カウンター２０の上面で殺菌及び有機物分解が行われる。
【００３２】
上記実施の形態では、いずれも紫外線ＬＥＤが窓プレートの背後側に配置されているので、室内側からは紫外線光源が見えず、美感が良好であると共に、物が当って紫外線光源が故障することも防止される。
【００３３】
本発明では、トイレルームや洗面室に人が居ないときに、トラップ水の補充を行うときに、このときに紫外線照射を行ってもよい。例えば、小便器１や洋風便器１０において便器洗浄水を流したり、吐水管２２から少量の水を流したりしてトラップ水を補充すると共に、このトラップ水の補充動作を行っている間に紫外線ＬＥＤを点灯して殺菌や有機物分解を行ってもよい。
【００３４】
上記実施の形態はいずれも本発明の一例であり、本発明は図示以外の各種の衛生設備に適用可能である。紫外線ＬＥＤの代わりに、紫外線ランプなどを設けてもよい。
【図面の簡単な説明】
【００３５】
【図１】図１（ａ）は実施の形態に係る衛生設備としての小便器設備の斜視図、図１（ｂ）はセンサボックスの縦断面図である。
【図２】実施の形態に係る衛生設備としての洋風便器１０を示す斜視図である。
【図３】図３（ａ）は実施の形態に係る衛生設備としての洗面設備の斜視図、図３（ｂ）は手洗吐水管の縦断面図である。
【符号の説明】
【００３６】
１  小便器
３，１５，２５  窓プレート
５，２７  紫外線ＬＥＤ
１０  洋風便器
２１  洗面ボウル
２２  吐水管
【図１】
2006274573.tif 000003
【図２】
2006274573.tif 000004
【図３】
2006274573.tif 000005